(57)【要約】【課題】  使用者の寝心地を向上することが可能なマットレスを提供する。【解決手段】  マットレス１０は、第１のクッション部１１と、第１のクッション部１１の材質と異なる材質からなる第２のクッション部１２とを具備し、第１のクッション部１１の長手方向の側面と第２のクッション部１２の長手方向の側面が接着され、第１のクッション部１１と第２のクッション部１２で一体化されている。【選択図】  図１
0003206930.tif 000002
【実用新案登録請求の範囲】
【請求項１】
第１のクッション部と、
前記第１のクッション部の材質と異なる材質からなる第２のクッション部と
を具備し、
前記第１のクッション部の長手方向の側面と前記第２のクッション部の長手方向の側面が接着され、前記第１のクッション部と前記第２のクッション部で一体化されていることを特徴とするマットレス。
【請求項２】
前記第１のクッション部は、前記長手方向に対して複数に分かれた複数の第１の分割部を有し、
前記複数の第１の分割部は、互いに接着されて一体化しており、
前記複数の第１の分割部のうちの少なくとも１つの前記材質は、前記第２のクッション部の前記材質と異なることを特徴とする請求項１に記載のマットレス。
【請求項３】
前記第２のクッション部は、前記長手方向に対して複数に分かれた複数の第２の分割部を有し、
前記複数の第２の分割部は、互いに接着されて一体化しており、
前記複数の第１の分割部のうちの少なくとも１つの前記材質は、前記複数の第２の分割部のうちの少なくとも１つの前記材質と異なることを特徴とする請求項２に記載のマットレス。
【請求項４】
前記複数の第１の分割部の数は、前記複数の第２の分割部の数と異なることを特徴とする請求項３に記載のマットレス。
【請求項５】
前記複数の第１の分割部の数は、前記複数の第２の分割部の数と同じであることを特徴とする請求項３に記載のマットレス。
【請求項６】
前記複数の第１の分割部及び前記複数の第２の分割部の数は３つであり、
前記複数の第１の分割部のうちの中央の分割部の前記材質は、前記複数の第２の分割部のうちの中央の分割部の前記材質と異なることを特徴とする請求項５に記載のマットレス。
【請求項７】
前記第１のクッション部の下面及び前記第２のクッション部の下面に接着された下層をさらに具備することを特徴とする請求項１乃至６のいずれか１項に記載のマットレス。
【請求項８】
前記第１のクッション部の上面及び前記第２のクッション部の上面の少なくとも一方に接着された上層をさらに具備することを特徴とする請求項１乃至７のいずれか１項に記載のマットレス。
【請求項９】
前記第１のクッション部に対して前記第２のクッション部と反対側に配置された第３のクッション部をさらに具備し、
前記第１のクッション部の前記長手方向の側面と前記第３のクッション部の長手方向の側面が接着され、前記第１のクッション部と前記第２のクッション部と前記第３のクッション部とで一体化されていることを特徴とする請求項１に記載のマットレス。
【考案の詳細な説明】
【技術分野】
【０００１】
本考案は、使用者の好みに応じた寝心地のよい安眠快眠を確保することができるマットレスに関する。
【背景技術】
【０００２】
快適な寝心地と感じるマットレスの硬さは、使用者によって異なる。例えば、ダブルベッド用のマットレスを２人で使用する場合、一人は硬いマットレスを好み、もう一人は軟らかいマットレスを好むことがある。しかし、ダブルベッド用のマットレスは、全面が同じ材質で形成されているため、好みの異なる２人が共に快適に感じる寝心地を得ることが難しかった。
【０００３】
そこで、特許文献１では、使用者の好みに応じて、部分ごとに弾性特性が異なるように構成されたマットレスが開示されている。特許文献１のマットレスでは、間仕切り用弾性体により収納空間を複数に分割し、その分割された空間に異なる弾性特性のスプリングユニットが挿入されている。
【０００４】
しかしながら、特許文献１では、複数のスプリングユニット間に間仕切り用弾性体が設けられている。このため、使用者が間仕切り用弾性体の上に寝た際には、寝心地の良さが低下してしまう。
【先行技術文献】
【特許文献】
【０００５】
【特許文献１】特開２０１０−２５２９３７号公報
【考案の概要】
【考案が解決しようとする課題】
【０００６】
本考案は、使用者の寝心地を向上することが可能なマットレスを提供する。
【課題を解決するための手段】
【０００７】
本考案の一態様によるマットレスは、第１のクッション部と、前記第１のクッション部の材質と異なる材質からなる第２のクッション部とを具備し、前記第１のクッション部の長手方向の側面と前記第２のクッション部の長手方向の側面が接着され、前記第１のクッション部と前記第２のクッション部で一体化されている。
【０００８】
ここで、前記第１のクッション部は、前記長手方向に対して複数に分かれた複数の第１の分割部を有し、前記複数の第１の分割部は、互いに接着されて一体化しており、前記複数の第１の分割部のうちの少なくとも１つの前記材質は、前記第２のクッション部の前記材質と異なってもよい。
【０００９】
さらに、前記第２のクッション部は、前記長手方向に対して複数に分かれた複数の第２の分割部を有し、前記複数の第２の分割部は、互いに接着されて一体化しており、前記複数の第１の分割部のうちの少なくとも１つの前記材質は、前記複数の第２の分割部のうちの少なくとも１つの前記材質と異なってもよい。
ここで、前記複数の第１の分割部の数は、前記複数の第２の分割部の数と異なってもよいし、前記複数の第２の分割部の数と同じであってもよい。
【００１０】
例えば、前記複数の第１の分割部及び前記複数の第２の分割部の数は３つであり、前記複数の第１の分割部のうちの中央の分割部の前記材質は、前記複数の第２の分割部のうちの中央の分割部の前記材質と異なってもよい。
【００１１】
上述する本考案の一態様によるマットレスは、前記第１のクッション部の下面及び前記第２のクッション部の下面に接着された下層をさらに具備してもよい。
【００１２】
上述する本考案の一態様によるマットレスは、前記第１のクッション部の上面及び前記第２のクッション部の上面の少なくとも一方に接着された上層をさらに具備してもよい。
【００１３】
上述する本考案の一態様によるマットレスは、前記第１のクッション部に対して前記第２のクッション部と反対側に配置された第３のクッション部をさらに具備し、前記第１のクッション部の前記長手方向の側面と前記第３のクッション部の長手方向の側面が接着され、前記第１のクッション部と前記第２のクッション部と前記第３のクッション部とで一体化されていてもよい。
【考案の効果】
【００１４】
本考案によれば、使用者の寝心地を向上することが可能なマットレスを提供できる。
【図面の簡単な説明】
【００１５】
【図１】本考案の第１の実施形態に係る２分割のマットレスの斜視図を示す。
【図２】本考案の第１の実施形態に係る３分割のマットレスの斜視図を示す。
【図３】本考案の第１の実施形態に係る４分割のマットレスの斜視図を示す。
【図４】本考案の第１の実施形態に係る５分割のマットレスの斜視図を示す。
【図５】本考案の第１の実施形態に係る６分割のマットレスの斜視図を示す。
【図６】本考案の第１の実施形態に係る３分割のマットレスの斜視図を示す。
【図７】本考案の第１の実施形態に係る６分割のマットレスの模式図を示す。
【図８】本考案の第１の実施形態に係る６分割のマットレスの斜視図及び断面図を示す。
【図９】本考案の第２の実施形態に係る６分割のマットレスの模式図を示す。
【図１０】本考案の第２の実施形態に係る６分割のマットレスの斜視図及び断面図を示す。
【図１１】本考案の第３の実施形態に係る６分割のマットレスの模式図を示す。
【図１２】本考案の第３の実施形態に係る６分割のマットレスの斜視図及び断面図を示す。
【図１３】本考案の第３の実施形態に係る６分割のマットレスの模式図を示す。
【図１４】本考案の第３の実施形態に係る６分割のマットレスの斜視図及び断面図を示す。
【考案を実施するための形態】
【００１６】
以下、実施の形態について、図面を参照して説明する。この説明に際し、全図にわたり、共通する部分には共通する参照符号を付す。
【００１７】
［第１の実施形態］
図１を用いて、本考案の第１の実施形態に係るマットレス１０について説明する。マットレス１０は、例えば、ベッドの規格に従って、セミダブル、ダブル、ダブルワイド、クィーンサイズのマットレスとして使用される。
【００１８】
図１に示すように、第１の実施形態に係るマットレス１０は、第１のクッション部１１及び第２のクッション部１２を有している。第１のクッション部１１の長手方向（Ｘ方向）の側面が第２のクッション部１２の長手方向の側面と接着剤（例えば、ホットメルト接着剤）で接着され、第１のクッション部１１と第２のクッション部１２が一体化されている。
【００１９】
第１のクッション部１１の材質は、第２のクッション部１２の材質と異なる。第１のクッション部１１及び第２のクッション部１２の材料としては、例えば、ラテックス（低反発ラテックス、高反発ラテックス）、ウレタン（低反発ウレタン、高反発ウレタン）等の中からそれぞれ選択されている。
【００２０】
例えば、高反発性の弾力性のあるゴム素材の合成ラテックスを使用した場合、これは多数の空気穴を設けて構成されている。このため、抗菌性に優れ、通気性が良く、硬すぎず、柔らかすぎず、弾力性があるので、体圧分散に優れている。よって、ラテックスの面に就寝することで、寝汗を抑制でき、腰痛や肩こり予防の効果を確保できる。
また、低反発ウレタンを使用した場合、この面に就寝することで、身体を包み込むように身体のラインに沿ってフィットし、身体に密着するため、寝心地が良く、特に冬の季節に安眠快適を確保できる。
【００２１】
第１のクッション部１１及び第２のクッション部１２における横方向（Ｙ方向）の各幅は、図示するように同じであってもよいし、異なってもよい。また、第１のクッション部１１及び第２のクッション部１２における各厚みは、同じであることが望ましい（図８（ｂ）参照）。
【００２２】
尚、図２乃至図５に示すように、マットレス１０を構成する第１のクッション部１１及び第２のクッション部１２の少なくとも一方は、長手方向に対して複数に分けられた分割部を有してもよい。この際、第１のクッション部１１の分割部の数は、第２のクッション部１２の分割部の数と同じでも異なってもよい。
【００２３】
図２のマットレス１０において、図１のマットレス１０と異なる点は、第２のクッション部１２が長手方向に対して２つに分けられた分割部１２ａ及び１２ｂを有している点である。
ここで、分割部１２ａ及び１２ｂは互いに接着剤（例えば、ホットメルト接着剤）で接着され、第１のクッション部１１と第２のクッション部１２は一体化されている。第１のクッション部１１の材質は、第２のクッション部１２の分割部１２ａ及び１２ｂの両方の材質と異なってもよい。例えば、（１）第１のクッション部１１、（２）分割部１２ａ、（３）分割部１２ｂの順で硬い材質であってもよい。尚、第２のクッション部１２の分割部１２ａ及び１２ｂの少なくとも一方が第１のクッション部１１と異なる材質であればよい。
【００２４】
図３のマットレス１０において、図２のマットレス１０と異なる点は、第１のクッション部１１も長手方向に対して２つに分けられた分割部１１ａ及び１１ｂを有している点である。
ここで、分割部１１ａ及び１１ｂは互いに接着剤（例えば、ホットメルト接着剤）で接着され、第１のクッション部１１と第２のクッション部１２は一体化されている。分割部１１ａ及び１２ａは互いに材質が異なり、分割部１１ｂ及び１２ｂは互いに材質が同じであってもよい。例えば、（１）分割部１１ａ、（２）分割部１２ａ、（３）分割部１１ｂ及び１２ｂの順で硬い材質であってもよい。尚、第２のクッション部１２の分割部１２ａ及び１２ｂの少なくとも一方が第１のクッション部１１の分割部１１ａ及び１１ｂの少なくとも一方と異なる材質であればよい。第１のクッション部１１及び第２のクッション部１２において互いに異なる材質の分割部の位置は、頭部側と脚部側とで異なっていてもよいし、互いに頭部側、互いに脚部側であってもよい。
【００２５】
図４のマットレス１０において、図３のマットレス１０と異なる点は、第２のクッション部１２が長手方向に対して３つに分けられた分割部１２ａ、１２ｂ及び１２ｃを有している点である。
ここで、分割部１２ａ、１２ｂ及び１２ｃは互いに接着剤（例えば、ホットメルト接着剤）で接着され、第１のクッション部１１と第２のクッション部１２は一体化されている。分割部１１ａ及び１２ａは互いに材質が異なり、分割部１１ｂ、１２ｂ及び１２ｃは互いに材質が同じであってもよい。例えば、（１）分割部１１ａ、（２）分割部１２ａ、（３）分割部１１ｂ、１２ｂ及び１２ｃの順で硬い材質であってもよい。尚、第２のクッション部１２の分割部１２ａ、１２ｂ及び１２ｃの少なくとも一つが第１のクッション部１１の分割部１１ａ及び１１ｂの少なくとも一方と異なる材質であればよい。
【００２６】
図５のマットレス１０において、図４のマットレス１０と異なる点は、第１のクッション部１１も長手方向に対して３つに分けられた分割部１１ａ、１１ｂ及び１１ｃを有している点である。
ここで、分割部１１ａ、１１ｂ及び１１ｃは互いに接着剤（例えば、ホットメルト接着剤）で接着され、第１のクッション部１１と第２のクッション部１２は一体化されている。分割部１１ａ及び１２ａは互いに材質が異なり、分割部１１ｂ、１１ｃ、１２ｂ及び１２ｃは互いに材質が同じであってもよい。例えば、（１）分割部１１ａ、（２）分割部１２ａ、（３）分割部１１ｂ、１１ｃ、１２ｂ及び１２ｃの順で硬い材質であってもよい。尚、第２のクッション部１２の分割部１２ａ、１２ｂ及び１２ｃの少なくとも一つが第１のクッション部１１の分割部１１ａ、１１ｂ及び１１ｃの少なくとも一つと異なる材質であればよい。
図５のようなマットレス１０は、頭部、腰部及び脚部に相当する個所に適したものにしたい場合などに有効と考えられる。例えば、マットレス１０の第１のクッション部１１及び第２のクッション部１２のそれぞれにおいて、分割部１１ｂ及び１２ｂは頭部に適した材質を選定し、分割部１１ａ及び１２ａは腰部に適した材質を選定し、分割部１１ｃ及び１２ｃは脚部に適した材質を選定するとよい。
【００２７】
また、本実施形態のマットレス１０は、２つのクッション部１１及び１２で構成されることに限定されず、３つ以上のクッション部で構成されてもよい。例えば、図６に示すように、第１のクッション部１１に対して第２のクッション部１２の反対側の側面に、第３のクッション部１３を接着させてもよい。この場合、３つのクッション部１１、１２及び１３の全てが異なる材質で形成されてもよいし、２種類の材質で形成されてもよい。また、図６のマットレス１０においても、図２乃至図５のように、第１のクッション部１１、第２のクッション部１２及び第３のクッション部の少なくとも一つは、長手方向に対して複数に分けられた分割部を有してもよい。
【００２８】
上記第１の実施形態によれば、異なる材質からなる複数のクッション部が一体化されてマットレス１０が形成されている。このため、複数の使用者が一緒に寝る場合（例えば、夫婦で一緒に寝る場合、大人が小さな子供と添い寝する場合など）に有効と考えられる。例えば、小さな子供やお年寄りが就寝するときは、寝返りを容易にできるような材質（例えば、高反発ラテックス）を選定するとよい。肥満の方は、寝汗を抑制するため通気性に優れた材質を選定するとよい。細身の方は、身体を包み込むような材質（例えば、低反発ウレタン）を選定するとよい。つまり、このように、クッション部１１及び１２のそれぞれに、使用者の適宜用途に応じた好ましい材質を選定することが可能である。従って、互いに異なる材質のクッション部１１及び１２からなるマットレス１０にすることで、使用者それぞれの好みや体型に応じた硬軟度にすることができ、使用者の寝心地を向上することができる。
また、クッション部１１及び１２が長手方向に複数に分けられている場合、使用者の身体の部位（例えば、頭、背中、尻など）に応じた硬軟度を実現できるため、使用者の寝心地をさらに向上することができる。
【００２９】
［第２の実施形態］
図９及び図１０を用いて、本考案の第２の実施形態に係るマットレス１０について説明する。図９及び図１０に示すように、第２の実施形態のマットレス１０は、第１の実施形態のマットレス１０に対して、第１のクッション部１１及び第２のクッション部１２の下面に下層１４をさらに有している点が異なる。
ここで、下層１４は、第１のクッション部１１及び第２のクッション部１２の下面に接着剤（例えば、ホットメルト接着剤）で接着されている。下層１４の材料としては、例えば、フェルト、ウレタン等が挙げられる。
尚、第２の実施形態における下層１４は、図１乃至図４、図６のようなマットレス１０にも適用できる。
【００３０】
上記第２の実施形態によれば、第１の実施形態による効果を得るだけでなく、さらに、次のような効果を得ることができる。
つまり、第１の実施形態では、例えば、第１のクッション部１１の分割部１１ａ又は第２のクッション部１２の分割部１２ａに接着剤が付き難い材料（例えば、３次元構造の材料）を用いた場合、第１のクッション部１１の側面と第２のクッション部１２の側面が強固に接着できない可能性がある。このような場合に対して、第２の実施形態では、第１のクッション部１１及び第２のクッション部１２の下面に下層１４を接着することで、使用時における第１のクッション部１１及び第２のクッション部１２のずれを抑制することができる。
【００３１】
［第３の実施形態］
図１１及び図１２を用いて、本考案の第３の実施形態に係るマットレス１０について説明する。図１１及び図１２に示すように、第３の実施形態のマットレス１０は、第２の実施形態のマットレス１０に対して、第２のクッション部１２の上面に上層１５をさらに有している点が異なる。
ここで、上層１５は、第２のクッション部１２の上面に接着剤（例えば、ホットメルト接着剤）で接着されている。上層１５の材料としては、例えば、フェルト、ウレタン等が挙げられる。上層１５は、下層１４と同じ材料でも異なる材料でもよい。
【００３２】
上層１５は、第２のクッション部１２の上面にのみ形成され、第１のクッション部１１の上面には形成されていないが、マットレス１０の全面の厚さは均一である。つまり、図１２（ｂ）に示すように、第２のクッション部１２は第１のクッション部１１よりも薄く、第２のクッション部１２と上層１５とを合わせた厚みが第１のクッション部１１の厚みと同じになっている。
【００３３】
尚、図１３及び図１４に示すように、上層１５は、第２のクッション部１２の上面だけでなく、第１のクッション部１１の上面も覆うようにマットレス１０の全面に形成されてもよい。
また、第３の実施形態における上層１５は、図１乃至図４、図６のようなマットレス１０にも適用できる。
【００３４】
上記第３の実施形態によれば、第１及び第２の実施形態による効果を得るだけでなく、さらに、第１のクッション部１１及び第２のクッション部１２の上面に上層１５を接着することで、使用時における第１のクッション部１１及び第２のクッション部１２の安定性をより向上することができる。
尚、本考案の実施形態を説明したが、これらの実施形態は例として提示したものであり、考案の範囲を限定することは意図していない。これらの実施形態は、考案の要旨を逸脱しない範囲で種々変更可能である。
【符号の説明】
【００３５】
１０  マットレス
１１  第１のクッション部
１２  第２のクッション部
１３  第３のクッション部
１４  下層
１５  上層
１１ａ、１１ｂ、１１ｃ、１２ａ、１２ｂ、１２ｃ  分割部
【図１】
0003206930.tif 000003
【図２】
0003206930.tif 000004
【図３】
0003206930.tif 000005
【図４】
0003206930.tif 000006
【図５】
0003206930.tif 000007
【図６】
0003206930.tif 000008
【図７】
0003206930.tif 000009
【図８】
0003206930.tif 000010
【図９】
0003206930.tif 000011
【図１０】
0003206930.tif 000012
【図１１】
0003206930.tif 000013
【図１２】
0003206930.tif 000014
【図１３】
0003206930.tif 000015
【図１４】
0003206930.tif 000016